(57)【要約】【課題】漏電事故を未然に防止できる延長コードを提供する。【解決手段】電気用品を商用電源のコンセントから離れた位置で使用するための延長コード１であって、２芯コード２の一端に商用電源のコンセントに差し込まれる差込みプラグ３を接続し、他端に電気用品の電源プラグが差し込まれる受けコンセント４１，４２，４３を接続し、２芯コード２の途中に漏電遮断部５を設け、２芯コード２の一方に流れる電流と他方に流れる電流との差が所定値を超えたことに応じて、差込みプラグ３と受けコンセント４１，４２，４３との間の電気的接続を遮断する。【選択図】図１
0003117134.tif 000002
【実用新案登録請求の範囲】
【請求項１】
電気用品を商用電源のコンセントから離れた位置で使用するための延長コードであって、
２芯線のコードと、
前記２芯線のコードの一端に接続され、前記コンセントに差し込まれる差込みプラグと、
前記２芯線のコードの他端に接続され、前記電気用品の電源プラグが差し込まれる受けコンセントと、
前記コードの途中に設けられ、前記２芯線の一方に流れる電流と他方に流れる電流との差が所定値を超えたことに応じて、前記差込みプラグと前記受けコンセントとの間の電気的接続を遮断する漏電遮断器とを備える、延長コード。
【請求項２】
前記漏電遮断器は、前記電気的接続が遮断された後、手動で操作することにより、前記差込みプラグと前記受けコンセントとを電気的に接続させるための操作部を含む、請求項１に記載の延長コード。
【請求項３】
前記コードの途中に設けられ、前記漏電遮断器を収納するためのハウジングを含む、請求項１または２に記載の延長コード。
【請求項４】
前記ハウジングは、前記漏電遮断器を収納するために分割可能に構成されており、それぞれの分割面は防水構造を有している、請求項３に記載の延長コード。
【請求項５】
前記ハウジングは、
前記漏電遮断器の操作部が露出する開口部と、
前記開口部を覆う蓋部材とを含む、請求項３または４に記載の延長コード。
【請求項６】
前記蓋部材は、前記開口部に対して開閉自在に設けられている、請求項５に記載の延長コード。
【請求項７】
さらに、前記受けコンセントに接続された電気用品に流れる電流が所定の電流を超えたとき、前記差込みプラグと前記受けコンセントとの間の電気的接続を遮断する過電流遮断器を含む、請求項１から６のいずれかに記載の延長コード。
【考案の詳細な説明】
【技術分野】
【０００１】
この考案は延長コードに関し、特に、漏電遮断器を内蔵した延長コードに関する。
【背景技術】
【０００２】
商用電源のコンセントから離れた場所で電気用品を使用する際に、延長コードが使用される。このような延長コードの一例として、実用新案登録第３０８５７７３号公報（特許文献１）に記載されたものがある。この延長コードは、コードの一端に差込みプラグを設け、他端に受けコンセントを設け、コードの中央部に過電流継電器であるブレーカ付スイッチを設けたものである。
【０００３】
このような特許文献１に記載されている延長コードは、過電流継電器を内蔵しているため、受けコンセント側に接続されている電気用品の内部で何らかの原因でショートが生じたとしても、過電流継電器が動作して電気用品への電源供給を遮断することで火災の発生などを防止できる。
【特許文献１】実用新案登録第３０８５７７３号公報（段落番号０００７、図２）
【考案の開示】
【考案が解決しようとする課題】
【０００４】
しかし、特許文献１に記載された延長コードは、過電流による事故を防止できても、漏電による事故を防止することはできない。すなわち、電気用品内において、絶縁の劣化や充電部への接触などによって大地間に漏電電流が流れると、感電事故や火災が発生して人身に影響を及ぼすおそれがある。過電流継電器はこのような漏電電流による漏電事故を防止できない。
【０００５】
そこで、この考案の目的は、漏電事故を未然に防止できる延長コードを提供することである。
【課題を解決するための手段】
【０００６】
この考案は、電気用品を商用電源のコンセントから離れた位置で使用するための延長コードであって、２芯線のコードと、２芯線のコードの一端に接続され、コンセントに差し込まれる差込みプラグと、２芯線のコードの他端に接続され、電気用品の電源プラグが差し込まれる受けコンセントと、コードの途中に設けられ、２芯線の一方に流れる電流と他方に流れる電流との差が所定値を超えたことに応じて、差込みプラグと受けコンセントとの間の電気的接続を遮断する漏電遮断器とを備える。
【０００７】
漏電遮断器を設けることで、受けコンセントに接続される電気用品内で絶縁の劣化や充電部への接触などによって大地間に漏電電流が流れていれば、直ちに電気用品への電源供給を停止できるので、漏電事故を未然に防止できる。
【０００８】
具体的な実施形態では、漏電遮断器は、電気的接続が遮断された後、手動で操作することにより、差込みプラグと受けコンセントとを電気的に接続させるための操作部を含む。漏電状態を解消した後、操作部を操作することで、電気用品への電源供給を再開できる。
【０００９】
好ましくは、コードの途中に設けられ、漏電遮断器を収納するためのハウジングを含む。漏電遮断器をハウジング内に収納することで、延長ケーブルの使用に際して漏電遮断器に直接衝撃が加わるのを阻止できる。
【００１０】
好ましくは、ハウジングは、漏電遮断器を収納するために分割可能に構成されており、それぞれの分割面は防水構造を有している。防水構造にすることにより、雨天のときに延長コードを屋外で使用しても感電事故などが起きるのを防止できる。
【００１１】
ハウジングは、漏電遮断器の操作部が露出する開口部と、開口部を覆う蓋部材とを含む。開口部を蓋部材で覆うことにより、電気用品内の漏電状態を解消していないにもかかわらず誤って操作部を操作してしまうのを防止できる。
【００１２】
蓋部材は、開口部に対して開閉自在に設けられている。蓋部材を開閉自在に設けることで、操作部を誤って操作するのを防止でき、電気用品内の漏電状態を解消した後、操作部を操作することで電源供給を再開できる。
【００１３】
さらに、受けコンセントに接続された電気用品に流れる電流が所定の電流を超えたとき、差込みプラグと受けコンセントとの間の電気的接続を遮断する過電流遮断器を含む。これにより、漏電状態のみならず、過負荷状態や短絡状態においても電源供給を遮断できる。
【考案の効果】
【００１４】
この考案によれば、２芯コードの一端に設けた差込みプラグと、他端に設けた受けコンセントとの間に漏電遮断器を設けることで、受けコンセントに接続される電気用品内で絶縁の劣化や充電部への接触などによって大地間に漏電電流が流れていれば、直ちに電気用品への電源供給を停止できるので、漏電事故を未然に防止できる。
【考案を実施するための最良の形態】
【００１５】
図１はこの考案の一実施形態の延長コードの全体の構成を示す図である。
【００１６】
図１において、延長コード１は、アース線２１を有する２芯コード２の一端に差込みプラグ３が接続されており、他端に３つ口の受けコンセント４１，４２，４３が接続されている。２芯コード２の差込みプラグ３と受けコンセント４１，４２，４３との間には、漏電遮断部５が設けられている。差込みプラグ３は図示しない商用電源のコンセントに接続され、受けコンセント４１，４２，４３のいずれかには、図示しない電気用品の電源プラグが差し込まれる。漏電遮断部５は、電気用品内で絶縁の劣化や充電部への接触などによって大地間に漏電電流が流れていれば、直ちに電気用品への電源供給を停止して未然に漏電事故を防止する。
【００１７】
差込プラグ３からアース線２１の一端が引き出されており、その先端部にクリップ３１が接続されていて、クリップ３１を商用電源側のアース端子に接続することができる。受けコンセント４１，４２，４３の近傍からアース線２１の他端が引き出されており、その先端部に端子４４が接続されている。この端子４４は電気用品のアース端子に接続される。受けコンセント４１，４２，４３は、樹脂により一体成型されている。また、各受けコンセント４１，４２，４３には、延長コード１を屋外などで使用したときに、雨水などが使用していないコンセントに侵入するのを阻止するために、ゴムなどにより形成された防雨キャップ４５，４６，４７が設けられている。
【００１８】
図２は図１に示した漏電遮断部を拡大して示した図であり、（Ａ）は平面図であり、（Ｂ）は図２（Ａ）の線Ｂ−Ｂに沿う断面図である。
【００１９】
図２において、漏電遮断部５は、ハウジング６内に漏電遮断器８が収納されて構成されている。ハウジング６は、内部に空間を有して上下に分割可能に構成されており、上部材６１と下部材６２とを含む。内部の空間には漏電遮断器８が収納されている。上部材６１と、下部材６２とのそれぞれの対向する分割面は防水構造を有している。すなわち、上部材６１の分割面には凸部６３が形成されており、下部材６２の分割面には凸部６３に嵌合する溝６４が形成されている。溝６４の底部には図示しないシールパッキンが嵌め込まれている。これにより、ハウジング６は雨水にさらされてもその分割面から水が浸入するのを阻止できる。
【００２０】
上部材６１の上部には、漏電遮断器８の操作部８１が露出するように開口部６５が形成されており、開口部６５の周囲には壁６６が形成されている。漏電遮断器８の操作部８１は、漏電状態が検出されて差込みプラグ３から受けコンセント４１，４２，４３への電源供給が遮断された後、漏電状態を解消して手動で操作することで差込みプラグ３から受けコンセント４１，４２，４３への電源供給を再開させる。
【００２１】
開口部６５を覆うように、開閉自在な蓋部材７が設けられていて、蓋部材７は上部材６１に設けられた軸７１により回動可能になっている。軸７１には、ばね部材７２が卷回されており、その一端が蓋部材７の上部を押圧することにより、蓋部材７が常時開口部６５を覆うように付勢されている。蓋部材７には、上部材６１の壁６６に対応して溝６７が形成されており、溝６７には図示しない防水パッキンが嵌め込まれている。これにより、開口部６５内に水が浸入しないようにされている。
【００２２】
図３はこの考案の一実施形態の延長コードの接続図である。図３において、２芯コード２は、差込みプラグ３と、受けコンセント４１，４２，４３とを接続する１対の芯線２２，２３を含む。さらに、１対の芯線２２，２３に沿ってアース線２１が設けられている。漏電遮断器８は、芯線２２側に挿入された接点８２と、芯線２３側に挿入された接点８３と、芯線２２，２３を囲むように挿入されたコアー８４と、コアー８４に卷回されたコイル８５と、駆動部８６とを含む。
【００２３】
芯線２２，２３のそれぞれに電流が流れるとコアー８４に磁界が発生するが、それぞれに流れる電流の向きが逆であるため、コアー８４に発生する磁界は互いに打ち消しあう。このため、コイル８５には電圧が誘起されない。しかし、受けコンセント４１，４２，４３のいずれかに接続されている電気用品内で漏電が生じると、芯線２２，２３に流れる電流に差が生じるので、その差に応じた磁界がコアー８４に発生してコイル８５に電圧が誘起される。この電圧が所定の電圧以上になると、駆動部８６が接点８２，８３を開き、差込みプラグ３から受けコンセント４１，４２，４３への電源供給を遮断するので、漏電事故を防止できる。漏電状態を解消し、操作部８１を操作することで、接点８２，８３が閉じられるので、差込みプラグ３から受けコンセント４１，４２，４３への電源供給が再開される。
【００２４】
上述のごとく、この実施形態によれば、延長ケーブル１に漏電遮断部５を設けたことで、漏電状態になると接点８２，８３を開くことで、人身の安全性を考慮して漏電事故防止を図ることができる、さらに、漏電遮断部５を防水構造にし、受けコンセント４１，４２，４３に防雨キャップ４５，４６，４７を設けたことにより、雨天で使用しても感電事故などを起こすことなく安全に作業することができる。
【００２５】
上述の実施形態では、２芯コード２の途中に漏電遮断器８を設けた例について説明したが、過電流が流れた場合に電源供給を遮断する過電流継電器を漏電遮断器８に直列接続して、漏電状態のみならず、過負荷状態や短絡状態においても受けコンセント４１，４２，４３への電源供給を遮断できるようにしてもよい。
【００２６】
以上、図面を参照してこの考案の実施形態を説明したが、この考案は、図示した実施形態のものに限定されない。図示された実施形態に対して、この考案と同一の範囲内において、あるいは均等の範囲内において、種々の修正や変形を加えることが可能である。
【産業上の利用可能性】
【００２７】
この考案の延長ケーブルは、商用電源のコンセントから離れた場所で電気用品を使用する際に、漏電事故を生じることなく電気用品を使用するのに利用できる。
【図面の簡単な説明】
【００２８】
【図１】この考案の一実施形態の延長コードの全体の構成を示す図である。
【図２】図１に示した漏電遮断部を拡大して示した図である。
【図３】この考案の一実施形態の延長コードの接続図である。
【符号の説明】
【００２９】
１  延長コード、２  ２芯コード、３  差込みプラグ、５  漏電遮断部、６  ハウジング、７  蓋部材、８  漏電遮断器、２１  アース線、２２，２３  芯線、３１  クリップ、４１，４２，４３  受けコンセント、４４  端子、４５，４６，４７  防雨キャップ、６１  上部材、６２  下部材、６３  凸部、６４，６７  溝、６５  開口部、６６  壁、７１  軸、７２  ばね部材、８１  操作部、８２，８３  接点、８４  コアー、８５  コイル、８６  駆動部。
【図１】
0003117134.tif 000003
【図２】
0003117134.tif 000004
【図３】
0003117134.tif 000005